(57)【要約】  【課題】  フック部材同士の係合、離脱操作を妨げ、連結対象の誤配置を防止する連結具を提供する。【解決】  環の表裏面に形成された溝の底部がつながって形成される開口９，１０を有するＣ環部５，８をそれぞれ備え、開口９，１０を突き合わせて相互を内外に通過させることにより、係合、離脱可能な第１及び第２のフック部材２，３を具備させ、連結対象と被連結対象を結合する接続具を構成する。第１及び第２のフック部材２，３の開口９，１０の一方の縁の溝面９ｂ，９ｄ、１０ｂ，１０ｄには、同じフック部材２，２（３，３）同士の相互通過を妨げる凸部を、他方の縁の溝面９ａ，９ｃ、１０ａ，１０ｃには、当該凸部の通過を許容する凹部を具備させる。【選択図】  図２
2020176687.tif 000002
【特許請求の範囲】
【請求項１】
環の表裏面に形成された溝の底部がつながって形成される開口を有するＣ環部をそれぞれ備え、前記開口を突き合わせて相互を内外に通過させることにより、係合、離脱可能な第１及び第２のフック部材を具備し、連結対象と被連結対象に接続される連結具であって、
前記第１及び第２のフック部材の開口の両縁の溝面は、当該両フック部材の相互通過を妨げる凸部と、当該凸部の通過を許容する凹部とをそれぞれ具備することを特徴とする連結具。
【発明の詳細な説明】
【技術分野】
【０００１】
本発明は、二つの連結対象に直接又はリングやロープを介して接続され、互いに係合させて連結対象を相互に連結する連結具に関する。
【背景技術】
【０００２】
例えば、ポールに上下方向に複数並べて世界各国の国旗を掲揚する場合、昇降ロープと国旗間及び国旗相互間を連結するための金具として、第１及び第２のフック部材からなる旗スイブルフックと称される連結具が用いられている（非特許文献参照）。図５にこの連結具１１を用いてポールＰに掛けられた上下の昇降ロープＲ１，Ｒ２と国旗Ｆ１，Ｆ２間及び国旗Ｆ１，Ｆ２相互間を連結する構造を示す。旗Ｆ１，Ｆ２には、それぞれ下角に第１のフック部材１２、上角に第２のフック部材１３が係止されている。第１のフック部材１２及び第２のフック部材１３は、図６（Ａ）（Ｂ）に示すように、それぞれ開口１６，１７を持つＣ環部１４，１５を具備する。開口１６，１７の両端は同形の尖端１４ａ，１５ａが対向しており、互いのＣ環部１４，１５同士を直交配置して開口１６，１７を合致させることにより、開口１６，１７を通過して相互に係合、離脱させることができる。
【先行技術文献】
【特許文献】
【０００３】
【非特許文献１】浅野金属工業株式会社Ｗｅｂ版製品カタログに掲載の「旗スイブルフック」https://www.asano-metal.co.jp/asano-metal-cgi/secure/PubItemDetail.php?bid=2&mid=20&sid=&itemseq=284&loc=jp
【発明の概要】
【発明が解決しようとする課題】
【０００４】
上記従来の連結具１１は、第１のフック部材１２同士、あるいは第２のフック部１３同士でも係合、離脱操作が可能であるため、複数の国旗を連結する場合に、誤って一部の国旗が上下反転させた状態で取り付けられるおそれがある。
したがって、本発明は、連結対象の誤配置を回避することができる連結具を提供することを目的としている。
【課題を解決するための手段】
【０００５】
上記課題を解決するための、本発明の接続具は、環の表裏面に形成された溝の底部がつながって形成される開口９，１０を有するＣ環部５，８をそれぞれ備え、開口９，１０を突き合わせて相互を内外に通過させることにより、係合、離脱可能な第１及び第２のフック部材２，３を具備し、連結対象と被連結対象を結合する。第１及び第２のフック部材２，３の開口９，１０の一方の縁の溝面９ｂ，９ｄ、１０ｂ，１０ｄには、当該両フック部材２，３の相互通過を妨げる凸部を、他方の縁の溝面９ａ，９ｃ、１０ａ，１０ｃには、当該凸部の通過を許容する凹部を具備させる。
【発明の効果】
【０００６】
本発明によれば、第１及び第２のフック部材の開口の両縁の溝面に凸部及び凹部を備えるため、開口を通じた自身同士の通過が妨げられると共に、対を成す相手フック部材の通過を許容し、連続する複数の連結対象の誤配置を防止することができるという効果を有する。
【図面の簡単な説明】
【０００７】
【図１】本発明の一実施形態に係る連結具を使用した国旗掲揚ポールの正面図である。
【図２】（Ａ）は図１の連結具の正面図、（Ｂ）は同じく側面図である。
【図３】連結操作状態の連結具の一部を拡大した正面図である。
【図４】誤操作状態の連結具の一部を拡大した正面図である。
【図５】従来の連結具を使用した国旗掲揚ポール正面図である。
【図６】（Ａ）は従来の連結具の正面図、（Ｂ）は同じく側面図である。
【発明を実施するための形態】
【０００８】
以下、本発明の実施の一形態を、図１に示すように複数の国旗Ｆ１，Ｆ２を上下の昇降ロープＲ１，Ｒ２間に接続する場合を例にとって図面を参照して説明する。
図１，図２において、連結具１は、第１及び第２の２つのフック部材２，３の組み合わせにより構成される。
【０００９】
第１のフック部材２は、Ｏ環部４を具備する基体６にＣ環部５がスイベル接続されてなる。第２のフック部材３は、Ｏ環部７とＣ環部８とが一体に構成される。第１のフック部材２が上部昇降ロープＲ１の下端及び各旗Ｆ１，Ｆ２の下角にＯ環部４で係止され、第２のフック部材３が下部昇降ロープＲ２の上端及び各旗Ｆ１，Ｆ２の上角にＯ環部７で係止される。
【００１０】
第１のフック部材２のＣ環部５は、環の一方の面である表面に形成された、環の内外方向に延びる溝とこれに対向して他方の面である裏面に形成された環の内外方向に延びる溝の底部がつながって形成された環の内外方向に延びる細長い開口９を具備する。
【００１１】
開口９の表面側の両縁の溝面９ａ，９ｂ及び裏面側の両縁の溝面９ｃ，９ｄは、それぞれ開口９に対して非対称の断面形状である。すなわち、表面側の一方の溝面９ａは、断面円弧状に凹む形状であり、他方の溝面９ｂは円弧状に膨らむ形状である。裏面側の一方の溝面９ｃは、断面円弧状に凹む形状であり,他方の溝面９ｄは円弧状に膨らむ形状である。したがって、表面側の溝面９ａ，９ｂと裏面側の溝面９ｃ，９ｄとは、環の面に対して１８０°回転した断面形状である。
【００１２】
第２のフック部材３のＣ環部８は、第１のフック部材２のＣ環部５に対して係合、離脱自在であり、第１のフック部材２のＣ環部環５と同様の、環の内外方向に延びる細長い開口１０、表面側の溝面１０ａ，１０ｂ、裏面側の溝面１０ｃ，１０ｄを具備する。
【００１３】
この連結具１は、図３に示すように、第１のフック部材２のＣ環部５と第２のフック部材３のＣ環部８とを組み合わせた場合のみ、開口９，１０の両縁の溝面９ａ，９ｂ、９ｃ，９ｄ、１０ａ，１０ｂ、１０ｃ，１０ｄの凹み面と膨らみ面が対面し，相互に環の内外に通過でき、Ｃ環部５，８同士を係合、離脱させることができる。第１のフック部材２同士又は第２のフック部材３同士を組み合わせた場合には、図４に示すように、凹み面と膨らみ面が対面せず、ハッチング部分の干渉により、Ｃ環部５，８同士を係合させることができない。
【００１４】
以上の結果、国旗掲揚ポールＰに国旗Ｆ１，Ｆ２・・・を上下に複数並べて取り付ける場合に、第１のフック部材２と第２のフック部材３とを組合せて係合させる場合のみ国旗Ｆを連結できるので、国旗Ｆを上下に反転させて接続するおそれがない。
【００１５】
なお、本発明は、上記実施形態に限定されるものではなく、溝面９ａ，９ｂ、９ｃ，９ｄ、１０ａ，１０ｂ、１０ｃ，１０ｄの断面形状は、開口に対して非対称で、環の面に対して１８０°回転した種々の態様が含まれる。
また、本発明の連結具を適用する連結対象は国旗に限定されるものではなく、同種の連結対象を一列に複数並べて連結する場合の連結対象の配置の誤りを防止する場合に広く適用できる。
【符号の説明】
【００１６】
１    連結具
２    第１のフック部材
３    第２のフック部材
４    Ｏ環部
５    Ｃ環部
６    基体
７    Ｏ環部
８    Ｃ環部
９    開口
９ａ，９ｂ，９ｃ，９ｄ  溝面
１０    開口
１０ａ，１０ｂ，１０ｃ，１０ｄ  溝面
Ｐ    国旗掲揚ポール
Ｒ１，Ｒ２ 昇降ロープ
Ｆ１，Ｆ２ 国旗
【図１】
2020176687.tif 000003
【図２】
2020176687.tif 000004
【図３】
2020176687.tif 000005
【図４】
2020176687.tif 000006
【図５】
2020176687.tif 000007
【図６】
2020176687.tif 000008